Podtech/llm-jp-corpus-v4-ja_patent huggingface dataset:
【手続補正書】
【提出日】平成17年1月5日(2005.1.5)
【手続補正１】
【補正対象書類名】特許請求の範囲
【補正対象項目名】全文
【補正方法】変更
【補正の内容】
【特許請求の範囲】
【請求項１】
軟骨保護効果を発揮するのに十分な量の還元型葉酸化合物およびコバラミン化合物を含む組成物。
【請求項２】
還元型葉酸化合物とコバラミンの比が2.5：1から125：1の範囲である、請求項1記載の組成物。
【請求項３】
還元型葉酸化合物が0.01mgから500mgの量で存在し、且つコバラミン化合物が0.0002mgから10mgの量で存在する、請求項1記載の組成物。
【請求項４】
還元型葉酸化合物が0.1mgから50mgの量で存在し、且つコバラミン化合物が0.002mgから1mgの量で存在する、請求項1記載の組成物。
【請求項５】
組成物が葉酸を含まない、請求項1記載の組成物。
【請求項６】
組成物がベタイン化合物をさらに含む、請求項1記載の組成物。
【請求項７】
ベタイン化合物が50mgから20,000mgの量で存在する、請求項6記載の組成物。
【請求項８】
ベタイン化合物が500mgから2000mgの量で存在する、請求項6記載の組成物。
【請求項９】
還元型葉酸化合物が5-メチル-テトラヒドロ葉酸塩または5-ホルミルテトラヒドロ葉酸塩である、請求項1記載の組成物。
【請求項１０】
還元型葉酸塩が、(6S)-テトラヒドロ葉酸、5-メチル-(6S)-テトラヒドロ葉酸、5-ホルミル-(6S)-テトラヒドロ葉酸、10-ホルミル-(6R)-テトラヒドロ葉酸、5,10-メチレン-(6R)-テトラヒドロ葉酸、5,10-メテニル-(6R)-テトラヒドロ葉酸、5-ホルムイミノ-(6S)-テトラヒドロ葉酸、(6R,S)-テトラヒドロ葉酸、5-メチル-(6R,S)-テトラヒドロ葉酸、5-ホルミル-(6R,S)-テトラヒドロ葉酸、10-ホルミル-(6R,S)-テトラヒドロ葉酸、5,10-メチレン-(6SR)-テトラヒドロ葉酸、5,10-メテニル-(6R,S)-テトラヒドロ葉酸、および5-ホルムイミノ-(6R,S)-テトラヒドロ葉酸からなる群より選択される、請求項1記載の組成物。
【請求項１１】
軟骨保護効果を発揮するのに十分な量の葉酸、コバラミン化合物、およびベタインを含む組成物。
【請求項１２】
葉酸が0.01mgから50mgの量で存在し、コバラミン化合物が0.0002mgから10mgの量で存在し、且つベタインが50mgから20,0000mgの量で存在する、請求項11記載の組成物。
【請求項１３】
葉酸が0.1mgから5mgの量で存在し、コバラミン化合物が0.002mgから1mgの量で存在し、且つベタインが500mgから2000mgの量で存在する、請求項12記載の組成物。
【請求項１４】
関節炎状態の治療のための薬物の製造における、還元型葉酸化合物を含む組成物の使用。
【請求項１５】
関節炎状態が骨関節症を含む、請求項14記載の使用。
【請求項１６】
組成物が還元型葉酸化合物を0.01mgから500mg含む、請求項14記載の使用。
【請求項１７】
組成物がコバラミン化合物をさらに含む、請求項14記載の使用。
【請求項１８】
組成物が0.0002mgから10mgのコバラミン化合物を含む、請求項17記載の使用。
【請求項１９】
組成物が葉酸を含まない、請求項14記載の使用。
【請求項２０】
組成物がベタイン化合物をさらに含む、請求項18記載の使用。
【請求項２１】
組成物が50mgから20,000mgのベタイン化合物を含む、請求項20記載の使用。
【請求項２２】
還元型葉酸化合物が5-メチルテトラヒドロ葉酸塩である、請求項14記載の使用。
【請求項２３】
還元型葉酸化合物が5-ホルミルテトラヒドロ葉酸塩である、請求項14記載の使用。
【請求項２４】
還元型葉酸塩が、(6S)-テトラヒドロ葉酸、5-メチル-(6S)-テトラヒドロ葉酸、5-ホルミル-(6S)-テトラヒドロ葉酸、10-ホルミル-(6R)-テトラヒドロ葉酸、5,10-メチレン-(6R)-テトラヒドロ葉酸、5,10-メテニル-(6R)-テトラヒドロ葉酸、および5-ホルムイミノ-(6S)-テトラヒドロ葉酸からなる群より選択される、請求項14記載の使用。
【請求項２５】
還元型葉酸化合物が0.1mg／日〜50mg／日の用量で投与される、請求項14記載の使用。
【請求項２６】
還元型葉酸化合物が0.1mg／日〜5mg／日の用量で投与される、請求項14記載の使用。
【請求項２７】
コバラミン化合物が0.002mg／日〜1mg／日の用量で投与される、請求項17記載の使用。
【請求項２８】
ベタイン化合物が500mg／日〜2000mg／日の用量で投与される、請求項20記載の使用。
【請求項２９】
関節炎を発症したまたはその危険性があると診断された哺乳動物における関節炎症状を緩和するための薬物の製造における、還元型葉酸化合物を含む組成物の使用。
【請求項３０】
哺乳動物が、骨関節症を発症した、またはその危険性があると診断された、請求項29記載の使用。
【請求項３１】
組成物が0.01mgから500mgの還元型葉酸化合物を含む、請求項29記載の使用。
【請求項３２】
組成物が0.1mgから50mgの還元型葉酸化合物を含む、請求項29記載の使用
【請求項３３】
組成物が0.1mgから5mgの還元型葉酸化合物を含む、請求項29記載の使用。
【請求項３４】
組成物がコバラミン化合物をさらに含む、請求項29記載の使用。
【請求項３５】
組成物が0.0002mgから10mgのコバラミン化合物を含む、請求項34記載の使用。
【請求項３６】
組成物が0.002mgから1mgのコバラミン化合物を含む、請求項34記載の使用。
【請求項３７】
組成物が葉酸を含まない、請求項29記載の使用。
【請求項３８】
組成物がベタイン化合物をさらに含む、請求項34記載の使用。
【請求項３９】
組成物が50mgから20,000mgのベタイン化合物を含む、請求項38記載の使用。
【請求項４０】
組成物が500mgから2000mgのベタイン化合物を含む、請求項38記載の使用。
【請求項４１】
還元型葉酸化合物が5-メチル-テトラヒドロ葉酸塩である、請求項29記載の使用。
【請求項４２】
還元型葉酸化合物が5-ホルミルテトラヒドロ葉酸塩である、請求項29記載の使用。
【請求項４３】
還元型葉酸塩が、(6S)-テトラヒドロ葉酸、5-メチル-(6S)-テトラヒドロ葉酸、5-ホルミル-(6S)-テトラヒドロ葉酸、10-ホルミル-(6R)-テトラヒドロ葉酸、5,10-メチレン-(6R)-テトラヒドロ葉酸、5,10-メテニル-(6R)-テトラヒドロ葉酸、および5-ホルムイミノ-(6S)-テトラヒドロ葉酸からなる群より選択される、請求項29記載の使用。
【請求項４４】
還元型葉酸化合物が0.1mg／日〜50mg／日の用量で投与される、請求項29記載の使用。
【請求項４５】
還元型葉酸化合物が0.1mg／日〜5mg／日の用量で投与される、請求項29記載の使用。
【請求項４６】
コバラミン化合物が0.002mg／日〜1mg／日の用量で投与される、請求項34記載の使用。
【請求項４７】
ベタイン化合物が500mg／日〜2000mg／日の用量で投与される、請求項38記載の使用。
【手続補正書】
【提出日】平成17年4月13日(2005.4.13)
【手続補正１】
【補正対象書類名】明細書
【補正対象項目名】００４７
【補正方法】変更
【補正の内容】
【００４７】
キラル固定相は、光学活性高分子量化合物、例えばポリサッカライド誘導体（例えば、セルロースまたはアミロースのエステルまたはカルバメート）、ポリアクリレート誘導体（例えば、ポリ（トリフェニルメチルメタクリレート）などのメタクリレート誘導体）またはポリアミド誘導体、非対象性またはジシンメトリックの鎖を有するタンパク質（シリカに結合されたウシ血清アルブミン、アルデヒドシリカに共有結合されたセルラーゼ）、側鎖に不斉中心を有するポリマーなどを含んでなることができる。
【手続補正２】
【補正対象書類名】明細書
【補正対象項目名】００８６
【補正方法】変更
【補正の内容】
【００８６】
一つの態様では、上記反応は、触媒量のＣｕ+ またはＺｎ2+の存在下に行われる。Ｃｕ+ 及びＺｎ2+の触媒量とは、それぞれ、０．１〜５モル、好ましくは１〜３モルなどの化学量論量以下を意味する。好都合には、当量のＰｄに対し約１／２当量の量で使用される。Ｃｕ+ 及びＺｎ++の如何なる簡便な源でも使用することができる。Ｃｕ+ は好ましくはＣｕＩの形で使用され、そしてＺｎ2+は好都合にはＺｎ（ＣＮ）2 塩として使用される。
【手続補正３】
【補正対象書類名】明細書
【補正対象項目名】００９２
【補正方法】変更
【補正の内容】
【００９２】
Ｃｕ+ 及びＺｎ2+の触媒量とは、それぞれ、０．１〜５％、好ましくは１〜３％などの化学量論量以下を意味する。Ｃｕ+ 及びＺｎ2+の如何なる簡便な源でも使用できる。Ｃｕ+ は好ましくはＣｕＩの形で使用され、そしてＺｎ2+は好都合にはＺｎ（ＣＮ）2 塩として使用されるかまたは亜鉛を用いてニッケル（ＩＩ）化合物を還元することによってその場で形成される。
【手続補正書】
【提出日】平成16年12月8日(2004.12.8)
【手続補正１】
【補正対象書類名】特許請求の範囲
【補正対象項目名】全文
【補正方法】変更
【補正の内容】
【特許請求の範囲】
【請求項１】
（ｉ）相補的配列又はその断片の、ＩＲＳ−１タンパク質をコードする遺伝子の核酸分
子、（ｉｉ）（ｉ）による核酸分子の発現を阻害し得る分子、から選択された少なくとも
１つの物質を活性作用物質として含む、血管形成現象に活性である薬剤組成物。
【請求項２】
活性作用物質として、添付の配列リスト中で配列識別番号２から配列識別番号２３及び
配列識別番号２８号で識別されるヌクレオチド配列の集合から選択される少なくとも１つ
のヌクレオチド配列を含むことを特徴とする請求項１に記載の薬剤組成物。
【請求項３】
ＩＲＳ−１タンパク質をコードする遺伝子の核酸分子の発現を阻害し得る分子は、少な
くとも１２の隣接するヌクレオチド又はその誘導体を含む、添付の配列リスト中で配列識
別番号２８号で識別される配列のコード領域のアンチセンス配列であることを特徴とする
請求項１又は２に記載の薬剤組成物。
【請求項４】
ＩＲＳ−１タンパク質をコードする遺伝子の核酸分子の発現を阻害し得る分子は、少な
くとも１２の隣接するヌクレオチド又はその誘導体を含む、添付の配列リスト中で配列識
別番号２から配列識別番号２３の配列、またはその断片を含む群から選択されることを特
徴とする請求項１から３のいずれかに記載の薬剤組成物。
【請求項５】
活性作用物質は、許容できる媒介物と前記組成物中で好適には結合される請求項１から
４のいずれかに記載の薬剤組成物。
【請求項６】
皮下、筋肉内、静脈内又は経皮で投与されるための形状を呈すること、及び０．００１
ｍｇから５０ｍｇの有効成分を含むことを特徴とする請求項１から５のいずれかに記載の
薬剤組成物。
【請求項７】
血管形成に関連する病理の治療のための請求項１から６のいずれかに記載の薬剤組成物
の使用。
【請求項８】
網膜症の治療、リウマチ様関節炎、クローン病、アテローム硬化症、卵巣過刺激、乾癬
、新血管新生に関連した子宮内膜、気球の血管形成による再狭窄、癒着による組織生成過
多、末梢血管症、高血圧、血管炎症、レイノー病及び現象、動脈瘤、動脈再狭窄、血栓静
脈炎、リンパ管炎（ｌｙｍｐｈａｇｙｔｅ）、リンパ性皮膚病（ｌｙｍｐｈｏｄｅｍｅ）
、組織癒着及び修復、虚血、口峡炎、心筋梗塞、慢性心臓病、鬱血性心不全のような心不
全、又は加齢に関連した黄斑変性及び骨粗しょう症のための請求項７に記載の使用。
【請求項９】
血管形成現象に関連する病理の診断のための請求項１から６のいずれかに記載の薬剤組
成物の使用。
【請求項１０】
網膜症、リウマチ様関節炎、クローン病、アテローム硬化症、卵巣過刺激、乾癬、新血
管新生に関連した子宮内膜、気球の血管形成による再狭窄、癒着による組織生成過多、末
梢血管症、高血圧、血管炎症、レイノー病及び現象、動脈瘤、動脈再狭窄、血栓静脈炎、
リンパ管炎（ｌｙｍｐｈａｇｙｔｅ）、リンパ性皮膚病（ｌｙｍｐｈｏｄｅｍｅ）、組織
癒着及び修復、虚血、口峡炎、心筋梗塞、慢性心臓病、鬱血性心不全のような心不全、又
は加齢に関連した黄斑変性及び骨粗しょう症の診断のための請求項９に記載の使用。
【請求項１１】
添付配列リストに記載した配列識別番号２から配列識別番号２３のヌクレオチド配列のグループから選択したヌクレオチド配列。
【請求項１２】
薬剤としての、請求項１１に記載のヌクレオチド配列。
【請求項１３】
脈管形成に関連する病理の治療のための薬剤組成物の調合に対する、請求項１１あるいは１２に記載のヌクレオチド配列の使用。
【請求項１４】
網膜疾患、リウマチ様関節炎、クローン病、アテローム性動脈硬化症、卵巣の過刺激、乾癬、血管新生に関わる子宮内膜炎、気球血管形成による再狭窄、瘢痕形成による組織超増殖、末梢血管疾患、高血圧、血管の炎症、レーノー病及びレーノー現象、動脈瘤、動脈再狭窄、血栓性静脈炎、リンパ管炎、リンパ水腫、組織瘢痕形成及び修復、局所貧血、狭心症、心筋梗塞、慢性心臓病、心臓麻痺のような心不全、年齢による黄斑変性及び骨粗しょう症の診断のための、請求項１３に記載の使用。
【請求項１５】
脈管形成現象に関連する病理の診断のための、請求項１１あるいは１２に記載のヌクレオチド配列の使用。
【請求項１６】
網膜疾患、リウマチ様関節炎、クローン病、アテローム性動脈硬化症、卵巣の過刺激、乾癬、血管新生に関連する子宮内膜炎、気球血管形成による再狭窄、瘢痕形成による組織超増殖、末梢血管疾患、高血圧、血管の炎症、レーノー病及びレーノー現象、動脈瘤、動脈再狭窄、血栓性静脈炎、リンパ管炎、リンパ水腫、組織瘢痕形成及び修復、局所貧血、狭心症、心筋梗塞、慢性心臓病、心臓麻痺のような心不全、年齢関連の黄斑変性及び骨粗しょう症の診断のための、請求項１５に記載の使用。
【手続補正書】
【提出日】平成14年9月6日(2002.9.6)
【手続補正１】
【補正対象書類名】明細書
【補正対象項目名】００６１
【補正方法】変更
【補正の内容】
【００６１】
オルティプラズ及びＤＤＢを、ＤＭＮをそれぞれ投与してから１日目から３週間にわたって（週３回）２５：５、１５：１５及び５：２５ｍｇ／ｋｇの投与割合で投与した動物では、動物の血漿中のＡＬＴ及びＡＳＴの活性の増加が、ＤＭＮのみが投与された動物のものに比べて有意に阻害された。組み合わせの成分比間の有効性を比較すると、オルティプラズ及びＤＤＢが１５：１５ｍｇ／ｋｇの投与割合で投与された動物群も血漿中のＡＬＴ及びＡＳＴ活性の有意な阻害を示すものの、阻害の程度は、オルティプラズ及びＤＤＢが２５：５ｍｇ／ｋｇの投与割合で投与された動物のものに比べて小さかった（表７）。


【手続補正２】
【補正対象書類名】明細書
【補正対象項目名】００６２
【補正方法】変更
【補正の内容】
【００６２】
血漿中のγ−ＧＴ活性及びビリルビン含量を、肝機能の代表的な指標として使用する。オルティプラズ及びＤＤＢを３週間にわたって２５：５、１５：１５及び５：２５ｍｇ／ｋｇの投与割合で投与したラットでは、ＤＭＮで誘導されたビリルビン含量の増加が統計学的に有意な程度阻害された。ＡＬＴ及びＡＳＴ値の結果と同様、ビリルビンの増加は、オルティプラズ及びＤＤＢが投与された動物群の中で、オルティプラズ及びＤＤＢが２５：５ｍｇ／ｋｇの投与割合で投与された動物で最も良好に阻害された。


【手続補正３】
【補正対象書類名】明細書
【補正対象項目名】００６３
【補正方法】変更
【補正の内容】
【００６３】
血液中の全タンパク質含量及びアルブミンレベルが、肝組織でのタンパク質合成の指標である。肝硬変が発達すると、血液中の全タンパク質含量は、一般的に減少する。３週間にわたってＤＭＮを投与してから１週間では、全タンパク質含量は処置動物では有意に減少したが、オルティプラズ及びＤＤＢが２５：５及び１５：１５ｍｇ／ｋｇの投与割合で投与された動物群では正常なコントロール群レベルにまで回復した（表７）。
【手続補正書】
【提出日】平成17年1月13日(2005.1.13)
【手続補正１】
【補正対象書類名】特許請求の範囲
【補正対象項目名】全文
【補正方法】変更
【補正の内容】
【特許請求の範囲】
【請求項１】
約０．２５から約０．４７のＧｅ／（Ｓｉ＋Ｇｅ）モル比および約０．１以下のＮ／（Ｎ＋Ｏ）モル比を持つゲルマニウム・シリコン・オキシニトライドを有してなるガラス組成物。
【請求項２】
前記Ｇｅ／（Ｓｉ＋Ｇｅ）モル比が約０．３５であり、前記Ｎ／（Ｎ＋Ｏ）モル比が約０．０５であることを特徴とする請求項１記載のガラス組成物。
【請求項３】
１５５０ｎｍで約１．４８から約１．５２の屈折率を示し、約３×１０-6℃-1から約４．４×１０-6℃-1の室温での熱膨張係数を持つことを特徴とする請求項１または２記載のガラス組成物。
【請求項４】
前記ガラス組成物がケイ素およびゲルマニウムの酸化物と窒化物から実質的になることを特徴とする請求項１から３いずれか１項記載のガラス組成物。
【請求項５】
導波路コアおよび導波路クラッドを備えたプレーナ型光デバイスであって、
該導波路コアおよび該導波路クラッドの内の少なくとも一方が、請求項１から４いずれか１項記載のガラス組成物から構成されていることを特徴とするプレーナ型光デバイス。
【請求項６】
導波路コアおよび導波路クラッドを備えたプレーナ型光デバイスであって、
該導波路コアおよび該導波路クラッドの内の少なくとも一方が、約０．０８から約０．１７のＧｅ／（Ｓｉ＋Ｇｅ＋Ｔｉ）モル比および約０．０８以下のＴｉ／（Ｓｉ＋Ｇｅ＋Ｔｉ）モル比を持つシリカ・ゲルマニア・チタニアガラスであることを特徴とするプレーナ型光デバイス。
【請求項７】
前記シリカ・ゲルマニア・チタニアガラスがケイ素、ゲルマニウムおよびチタンの酸化物から実質的になることを特徴とする請求項６記載のプレーナ型光デバイス。
【請求項８】
前記シリカ・ゲルマニア・チタニアガラスが、１５５０ｎｍで約１．４８から約１．５２の屈折率を示し、約３×１０-6℃-1から約４．４×１０-6℃-1の室温での熱膨張係数を持つことを特徴とする請求項６または７記載のプレーナ型光デバイス。
【請求項９】
前記導波路コアに結合された液晶素子をさらに含むことを特徴とする請求項１記載のプレーナ型光デバイス。
【請求項１０】
前記プレーナ型光デバイスが、交差する導波路の位置に液晶スイッチを有する光スイッチであることを特徴とする請求項９記載のプレーナ型光デバイス。
【手続補正書】
【提出日】平成16年2月20日(2004.2.20)
【手続補正１】
【補正対象書類名】特許請求の範囲
【補正対象項目名】全文
【補正方法】変更
【補正の内容】
【特許請求の範囲】
【請求項１】
式 Ｃa5(ＰＯ4)3(ＯＨ)ｘＦy で表される棒状アパタイト結晶であって、
(a)  該結晶の長さ幅比が5以上であり；
(b)  x+y=1 であり、その際、x又はyが0でない場合は、該結晶の全量は個々のヒドロキシアパタイト結晶及びフルオロアパタイト結晶の混合物として存在し、及び/又は、yが0に等しければ、該結晶の全量を基準として、存在する水酸化物イオンの(1-x)100%がフッ化物イオンで置き換えられているような混晶として存在している；
(c)  該結晶の幅が0.01〜0.02μmであり、該結晶の長さが0.1〜0.2μmである；
前記棒状アパタイト結晶。
【請求項２】
yが0でない場合、カルシウムイオンの一部が、別のカチオン、特に、ナトリウムイオン、カリウムイオン及び/又はアンモニウムイオンで置き換えられている、請求項1に記載の棒状アパタイト結晶。
【請求項３】
該結晶の前記長さ幅比が、5〜20、好ましくは、8〜15、特に好ましくは、9〜12である、請求項1又は2に記載の棒状アパタイト結晶。
【請求項４】
yが0.0001〜0.3、特に0.005〜0.2である、請求項1〜3のいずれか1項に記載の棒状アパタイト結晶。
【請求項５】
個々の結晶の厚さがその幅にほぼ等しい、請求項1〜4のいずれか1項に記載の棒状アパタイト結晶。
【請求項６】
該結晶の厚さ及び幅が0.01〜0.02μmである、請求項1〜5のいずれか1項に記載の棒状アパタイト結晶。
【請求項７】
請求項1〜6のいずれか1項に記載の棒状アパタイト結晶を含む分散液であって、アパタイト結晶の固体含量が、5〜70重量%、好ましくは、10〜40重量%、特に好ましくは、15〜30重量%である、前記分散液。
【請求項８】
請求項７に記載の分散液を調製する方法であって、
(a)  オートクレーブ内で、出発物質と水を含む混合物を調製するステップ；
(b)  前記オートクレーブの内部の温度を100℃以上とし且つ圧力を1バールを超える圧力として、それらの条件を1時間以上維持するステップ；
(c)  適切な場合には、ステップ(b)に続いて、前記オートクレーブ内に分散液として存在している前記混合物に少なくとも1種のフッ化物含有化合物を添加して、前記分散液と1時間以上にわたって混合するステップ；
を含んでなる、前記方法。
【請求項９】
式 Ｃa5(ＰＯ4)3(ＯＨ)ｘＦy で表される棒状アパタイト結晶であって、該結晶の長さ幅比が5以上であり、x+y=1 であり、x又はyが0でない場合は、該結晶の全量が個々のヒドロキシアパタイト結晶及びフルオロアパタイト結晶の混合物として存在し、及び/又は、yが0に等しい場合は、該結晶の全量を基準として、存在する水酸化物イオンの(1-x)・100%がフッ化物イオンで置き換えられているような混晶として存在する該棒状アパタイト結晶を含む分散液を調製する方法であって、
(a)  オートクレーブ内で、出発物質と水を含む混合物を調製するステップ；
(b)  前記オートクレーブの内部の温度を100℃以上とし且つ圧力を1バールを超える圧力として、それらの条件を1時間以上維持するステップ；
(c)  適切な場合には、ステップ(b)に続いて、前記オートクレーブ内に分散液として存在している前記混合物に少なくとも1種のフッ化物含有化合物を添加して、前記分散液と1時間以上にわたって混合するステップ；
を含んでなる、前記方法。
【請求項１０】
使用する前記出発物質が水酸化カルシウム及びリン酸である、請求項8又は9に記載の方法。
【請求項１１】
前記フッ化物含有化合物が、フッ化ナトリウム、フッ化カルシウム、フッ化カリウム及び/又はフッ化アンモニウムである、請求項8〜10のいずれか１項に記載の方法。
【請求項１２】
前記オートクレーブ内の圧力を、1.5〜6バール、特に、2〜5バールとする、請求項8
〜11のいずれか1項に記載の方法。
【請求項１３】
式 Ｃa5(ＰＯ4)3(ＯＨ)ｘＦy で表される棒状アパタイト結晶であって、該結晶の長さ幅比が5以上であり、x+y=1 であり、x又はyが0でない場合は、該結晶の全量が個々のヒドロキシアパタイト結晶及びフルオロアパタイト結晶の混合物として存在し、及び/又は、yが0に等しい場合は、該結晶の全量を基準として、存在する水酸化物イオンの(1-x)・100%がフッ化物イオンで置き換えられているような混晶として存在する該棒状アパタイト結晶の調製方法であって、請求項8〜12のいずれか1項に記載の方法により分散液を調製し、得られた分散液から噴霧乾燥により棒状アパタイト結晶を単離する、前記方法。
【請求項１４】
請求項1〜6のいずれか1項に記載の棒状アパタイト結晶を調製する方法であって、請求項8〜12のいずれか1項に記載の方法により分散液を調製し、得られた分散液から噴霧乾燥により棒状アパタイト結晶を単離する、前記方法。
【請求項１５】
クレンジング及びケア配合物、並びに、歯及び骨の欠損を治療するための配合物、特に、ゲル歯磨き、練り歯磨き、口内洗浄剤及びチュウインガム、骨組織の新たな成長を誘導するか又は促進するため配合物及びインプラントにコーティングするための配合物に含ませる歯及び/又は骨の再鉱化成分としての、請求項1〜６のいずれか1項に記載の棒状アパタイト結晶又は請求項7に記載の分散液の使用。
【手続補正書】
【提出日】平成16年7月21日(2004.7.21)
【手続補正１】
【補正対象書類名】特許請求の範囲
【補正対象項目名】全文
【補正方法】変更
【補正の内容】
【特許請求の範囲】
【請求項１】
ａ）改善された特性を提供するために、１つ又は複数の不純物が、１つ又は複数のダイヤモンド層中で調節される化学気相成長プロセスによって、ダイヤモンドを成長させる工程と、
ｂ）該ダイヤモンドを少なくとも約２０μｍの全体厚さに成長させる工程と、
ｃ）成長したダイヤモンドを取り出す工程と、
を含んで成る、合成単結晶ダイヤモンドを形成する方法。
【請求項２】
前記ダイヤモンドが、異なる組成物の複数層として形成され、前記方法が、所望の厚さ及び構造を達成するために、１つ又は複数の所定の不純物を層間に異なる含量で有するダイヤモンド層を成長させる工程を含んで成る、請求項１に記載の方法。
【請求項３】
前記不純物が、窒素、ホウ素、硫黄、リン、炭素同位体、及びリチウムから成る群より独立して選択された、請求項１又は請求項２に記載の方法。
【請求項４】
１つ又は複数の層がホウ素でドープされた、請求項３に記載の方法。
【請求項５】
前記ホウ素が、約０．０３ｐｐｍａ〜約３，０００ｐｐｍａの最終的なホウ素濃度にドープされた、請求項４に記載の方法。
【請求項６】
前記ダイヤモンドが単一のホウ素ドープ層を含んで成る、請求項５に記載の方法。
【請求項７】
前記ダイヤモンドが、約２００μｍ〜約０．０１μｍの合計厚さに成長された少なくとも１つのホウ素ドープ層を含んで成る、請求項２に記載の方法。
【請求項８】
前記ダイヤモンドが、約１０μｍ〜約０．０５μｍの合計厚さに成長された少なくとも１つのホウ素ドープ層を含んで成る、請求項７に記載の方法。
【請求項９】
成長して取り出されたダイヤモンドを、宝石、メス、ワイヤーダイ、ミクロトーム、ヒートスプレッダ、光学窓、ナイフ、切削工具、及び単結晶ダイヤモンドの能動デバイス用基材から成る群より選択される製品に製作する更なる工程を含んで成る、請求項１〜８の何れか１項に記載の方法。
【請求項１０】
前記製品が宝石であり、前記ダイヤモンドが、少なくとも１つのドープ層を含む複数の層を含んで成る、請求項９に記載の方法。
【請求項１１】
前記ダイヤモンドが単一層の単結晶ダイヤモンドであり、前記不純物を調節する工程が、窒素濃度を実質的に通常レベルより低くすることを含んで成り、一方で、通常又は通常に近いレベルで同位体濃度を維持する、請求項１に記載に方法。
【請求項１２】
前記改善された特性が、熱伝導率、硬度、破壊靭性、電気伝導率、光学的性質、及び結晶完全性から成る群より選択された、請求項１１に記載の方法。
【請求項１３】
前記改善された特性が熱伝導率を含む、請求項１２に記載の方法。
【請求項１４】
前記熱伝導率が少なくとも約２３００Ｗ／ｍＫである、請求項１３に記載の方法。
【請求項１５】
前記熱伝導率が少なくとも約２５００Ｗ／ｍＫである、請求項１４に記載の方法。
【請求項１６】
前記ダイヤモンドが、少なくとも約２８００Ｗ／ｍＫの熱伝導率を示す、請求項１５に記載の方法。
【請求項１７】
前記ダイヤモンドが、少なくとも約３２００Ｗ／ｍＫの熱伝導率を示す、請求項１６に記載の方法。
【請求項１８】
前記ダイヤモンドが約２０ｐｐｍ未満の窒素濃度を含有する、請求項１１に記載の方法。
【請求項１９】
前記ダイヤモンドが約１０ｐｐｍ未満の窒素濃度を含有する、請求項１８に記載の方法。
【請求項２０】
前記ダイヤモンドが約５ｐｐｍ未満の窒素濃度を含有する、請求項１９に記載の方法。
【請求項２１】
前記ダイヤモンドが少なくとも約０．１％の13Ｃ含有量を有する、請求項１１に記載の方法。
【請求項２２】
前記ダイヤモンドが少なくとも約０．５％の13Ｃ含有量を有する、請求項２１に記載の方法。
【請求項２３】
前記ダイヤモンドが少なくとも約０．８％の13Ｃ含有量を有する、請求項２２に記載の方法。
【請求項２４】
前記ダイヤモンドが約５ｐｐｍ未満の窒素濃度を含有し、少なくとも約３２００Ｗ／ｍＫの熱伝導率を示し、少なくとも約０．８％の13Ｃ含有量を有する、請求項１１に記載の方法。
【請求項２５】
請求項１〜２４の何れか１項に記載の方法によって調製された、合成単結晶ダイヤモンド。
【請求項２６】
前記製品が、宝石、メス、ワイヤーダイ、ミクロトーム、ヒートスプレッダ、光学窓、ナイフ、切削工具、及び単結晶ダイヤモンドの能動デバイス用基材から成る群より選択された、請求項２５のダイヤモンドから調製された製品。
【請求項２７】
請求項２５に記載のダイヤモンドを調製する工程と、該ダイヤモンドを、宝石、メス、ワイヤーダイ、ミクロトーム、ヒートスプレッダ、光学窓、ナイフ、切削工具、及び単結晶ダイヤモンドの能動デバイス用基材から成る群より選択された製品の形状に製作する工程とを含んで成る、製品を作製する方法。
【手続補正２】
【補正対象書類名】明細書
【補正対象項目名】００６５
【補正方法】変更
【補正の内容】
【００６５】
［窒素含有量］
ダイヤモンド中の窒素含有量を測定するのに用いられる方法がいくつかあり、最も適切な技術は、ダイヤモンド中に見出される窒素中心の種類によって決定され測定される。窒素はいくつかのダイヤモンド構成において存在でき、最も一般的な構成は、単置換形態（ｓｓｆ）（孤立窒素原子が格子中の１つの炭素原子に置き換わる）、Ａ中心（１対の隣接置換窒素原子）、及びＢ中心（格子空孔の周りに集まった４つの置換窒素原子に起因する）である（C. D. Clark, A. T. Collins及びG. S. Woodsの“Ａｂｓｏｒｐｔｉｏｎ ａｎｄ Ｌｕｍｉｎｅｓｃｅｎｃｅ Ｓｐｅｃｔｒｏｓｃｏｐｙ”，Ｔｈｅ Ｐｒｏｐｅｒｔｉｅｓ ｏｆ Ｎａｔｕｒａｌ ａｎｄ Ｓｙｎｔｈｅｔｉｃ Ｄｉａｍｏｎｄ，J. E. Field編，Ａｃａｄｅｍｉｃ Ｐｒｅｓｓ（１９９２）を参照）。ダイヤモンド中の窒素含有量は、質量分析、光吸収、及び電子スピン共鳴（ｅｓｒ）を用いて決定できる。（二次イオン質量分析（ＳＩＭＳ）などの）質量分析は、ダイヤモンド中の全形態の窒素を検出するのに使用できるので特に好ましいが、いくらか又はすべての試料を消費する。分光測定技術は非破壊であるが、ダイヤモンド中の特定形態の窒素にしかセンシティブでない。赤外吸収は、以下の補正係数を用いてさまざまな形態の窒素の窒素濃度を決定するのに使用できる。
ｓｓｆ：濃度＝２２原子ｐｐｍ／１ｃｍ-1吸収（１１３０ｃｍ-1）
Ａ中心濃度＝１７．５原子ｐｐｍ／１ｃｍ-1吸収（１２８２ｃｍ-1）
Ｂ中心濃度＝１０３．８原子ｐｐｍ／１ｃｍ-1吸収（１２８２ｃｍ-1）
【手続補正書】
【提出日】平成17年2月9日(2005.2.9)
【手続補正１】
【補正対象書類名】特許請求の範囲
【補正対象項目名】全文
【補正方法】変更
【補正の内容】
【特許請求の範囲】
【請求項１】
有効成分としてタキサンを含有する抗腫瘍増殖剤であって、
メトロノーム的な投与方式のタキサンを単独で、または標準的な最大寛容性の投与方式による確立されている抗癌療法と組み合わせて、処置が必要な動物に投与することを含む、該抗腫瘍増殖剤。
【請求項２】
タキサンは経口的に生体内利用可能である、請求項１に記載の抗腫瘍増殖剤。
【請求項３】
タキサンは、式Ｉ：
【化１】
2004538253.tif 000001
で示される経口タキサンである、請求項１または２のいずれかに記載の抗腫瘍増殖剤。
【請求項４】
請求項１〜３のいずれか１つに記載の抗腫瘍増殖剤であって、
該タキサンをメトロノーム的な投与方式によって投与することによって、腫瘍細胞を該タキサンに曝露させ、その結果、該腫瘍細胞の増殖を抑制することを含む、該抗腫瘍増殖剤。
【手続補正書】
【提出日】平成17年3月2日(2005.3.2)
【手続補正１】
【補正対象書類名】特許請求の範囲
【補正対象項目名】全文
【補正方法】変更
【補正の内容】
【特許請求の範囲】
【請求項１】
下式の構造：
【化１】
2004538256.tif 000001
を有する化合物、その製薬品として許容される塩、エーテル誘導体、エステル誘導体、酸誘導体、水溶液、エナンチオマー、ジアステレオマー、ラセミ化合物、多形体、または溶媒和化合物。
【請求項２】
請求項１に定義される化合物（ａ）を含む組成物。
【請求項３】
（ｂ）補助剤；
（ｃ）抗酸化剤；
（ｄ）緩衝剤；
（ｅ）担体；
（ｆ）着色剤；
（ｇ）希釈剤；
（ｈ）崩壊剤；
（ｉ）賦形剤；
（ｊ）充填剤；
（ｋ）風味剤；
（ｌ）ゲル化剤；
（ｍ）潤滑剤；
（ｎ）中和剤；
（ｏ）保存料；
（ｐ）前記のあらゆるもののあらゆる組み合わせ；
を更に含む、請求項２に定義される組成物。
【請求項４】
前記化合物のオピエートレセプター作動有効量を含む、請求項３に定義される組成物。
【請求項５】
前記オピエートレセプターが、μレセプターである、請求項４に定義される組成物。
【請求項６】
前記化合物の鎮痛性有効量を含む、請求項３に定義される組成物。
【請求項７】
前記化合物の鎮静性有効量を含む、請求項３に定義される組成物。
【請求項８】
前記化合物の咳防止量を含む、請求項３に定義される組成物。
【請求項９】
前記化合物のオピオイド離脱軽減有効量を含む、請求項３に定義される組成物。
【請求項１０】
前記化合物のオピオイド嗜癖軽減有効量を含む、請求項３に定義される組成物。
【請求項１１】
前記化合物を５０重量％以上含む、請求項１に定義される組成物。
【請求項１２】
前記化合物を９０重量％以上含む、請求項１に定義される組成物。
【請求項１３】
前記化合物を９９．９重量％以上含む、請求項１に定義される組成物。
【請求項１４】
前記化合物の約２０pg/ml乃至約１０ng/mlの最高血液濃度を達成するために十分な量で前記化合物を含む、請求項３に定義される組成物。
【請求項１５】
請求項２に定義される組成物を含む単位投薬形態。
【請求項１６】
錠剤、ピル、カプセル、ボーラス、粉末、粒子、滅菌非経口溶液、滅菌非経口懸濁液、エリキシル剤、チンキ剤、定量エアロゾル、液体スプレー、ドロップ、アンプル、自動注入装置、坐剤、経皮パッチ、及び凍結乾燥組成物からなる群から選択される、請求項１５に定義される単位投薬形態。
【請求項１７】
持続作用性単位投薬形態である、請求項１５に定義される単位投薬形態。
【請求項１８】
前記化合物を５０重量％以上含む、請求項１５に定義される単位投薬形態。
【請求項１９】
前記化合物を９０重量％以上含む、請求項１５に定義される単位投薬形態。
【請求項２０】
前記化合物を９９．９重量％以上含む、請求項１５に定義される単位投薬形態。
【請求項２１】
これを必要とする患者における、μオピエートレセプターの刺激方法であって、前記方法が、請求項２に定義される組成物のμオピエートレセプター作動有効量を前記患者に投与する工程を含む、方法。
【請求項２２】
前記投与が、経口、静脈内、筋内、皮下、経皮、肺から、眼から、経粘膜、及び口腔投与からなる群より選択される、請求項２１に定義される方法。
【請求項２３】
前記方法が、前記化合物の約１０ng/mlの最高血液濃度を達成するために十分な量で前記化合物を提供する、請求項２１に定義される方法。
【請求項２４】
これを必要とする患者における、疼痛防止方法であって、請求項２に定義される組成物の鎮痛性有効量を前記患者に投与する工程を含む、方法。
【請求項２５】
前記投与が、経口、静脈内、筋内、皮下、経皮、肺から、眼から、経粘膜、及び口腔投与からなる群より選択される、請求項２４に定義される方法。
【請求項２６】
前記方法が、前記化合物の約１０ng/mlの最高血液濃度を達成するために十分な量で前記化合物を提供する、請求項２４に定義される方法。
【請求項２７】
これを必要とする患者における、疼痛防止方法であって、請求項２に定義される組成物の鎮痛性有効量を前記患者に投与する工程を含む、方法。
【請求項２８】
前記投与が、経口、静脈内、筋内、皮下、経皮、肺から、眼から、経粘膜、及び口腔投与からなる群より選択される、請求項２７に定義される方法。
【請求項２９】
前記方法が、前記化合物の約１０ng/mlの最高血液濃度を達成するために十分な量で前記化合物を提供する、請求項２７に定義される方法。
【請求項３０】
前記疼痛が、中程度または重篤である、請求項２７に定義される方法。
【請求項３１】
これを必要とする患者の鎮静化方法であって、請求項２に定義される組成物の鎮静性有効量を前記患者に投与する工程を含む、方法。
【請求項３２】
前記投与が、経口、静脈内、筋内、皮下、経皮、肺から、眼から、経粘膜、及び口腔投与からなる群より選択される、請求項３１に定義される方法。
【請求項３３】
前記方法が、前記化合物の約１０ng/mlの最高血液濃度を達成するために十分な量で前記化合物を提供する、請求項３１に定義される方法。
【請求項３４】
これを必要とする患者における、咳治療方法であって、請求項２に定義される組成物の咳防止有効量を前記患者に投与する工程を含む、方法。
【請求項３５】
前記方法が、約２０pg/ml乃至約１０ng/mlの最高血液濃度を達成するために十分な量で前記化合物を患者に供給する、請求項３４に定義される方法。
【請求項３６】
これを必要とする患者におけるオピオイド離脱（禁断症候群）治療方法であって、請求項２に定義される組成物のオピオイド離脱軽減有効量を前記患者に投与する工程を含む、方法。
【請求項３７】
前記方法が、約１０ng/mlの最高血液濃度を達成するために十分な量で前記化合物を前記患者に供給する、請求項３６に定義される方法。
【請求項３８】
これを必要とする患者におけるオピオイド嗜癖の治療方法であって、請求項２に定義される組成物の嗜癖軽減有効量を前記患者に投与する工程を含む。方法。
【請求項３９】
前記方法が、約１０ng/mlの最高血液濃度を達成するために十分な量で前記化合物を前記患者に供給する、請求項３８に定義される方法。
【請求項４０】
請求項２に定義される組成物、容器、ラベル、及び使用のための説明書を含むキット。
【手続補正２】
【補正対象書類名】明細書
【補正対象項目名】００１０
【補正方法】変更
【補正の内容】
【００１０】
本発明は、下式の構造：
【化２】
2004538256.tif 000002
を有する化合物（Ｉ）、その製薬品として許容される塩、エーテル誘導体、エステル誘導体、酸誘導体、エナンチオマー、ジアステレオマー、ラセミ化合物、多形体、または溶媒和化合物に係る。
【手続補正３】
【補正対象書類名】明細書
【補正対象項目名】００２６
【補正方法】変更
【補正の内容】
【００２６】
【化３】
2004538256.tif 000003
【手続補正書】
【提出日】平成15年12月24日(2003.12.24)
【手続補正１】
【補正対象書類名】特許請求の範囲
【補正対象項目名】請求項７
【補正方法】変更
【補正の内容】
【請求項７】
Ｒ1が水素原子であることを特徴とする請求項6に記載の化合物。
【手続補正２】
【補正対象書類名】特許請求の範囲
【補正対象項目名】請求項８
【補正方法】変更
【補正の内容】
【請求項８】
Ｒ1がＣＮであることを特徴とする請求項6に記載の化合物。
【手続補正書】
【提出日】平成17年2月7日(2005.2.7)
【手続補正１】
【補正対象書類名】特許請求の範囲
【補正対象項目名】全文
【補正方法】変更
【補正の内容】
【特許請求の範囲】
【請求項１】
式(I)：
【化１】
2004538259.tif 000001
［式中、
mは、2〜8の整数であり；
nは、3〜11の整数であり；
ただしm+nは、5〜19であり；
R1は、-XSO2NR6R7：
(ここで、Xは、-(CH2)p-またはC2-6アルケニレンであり；
R6およびR7は、独立に、水素、C1-6アルキル、C3-7シクロアルキル、C(O)NR8R9、フェニルおよびフェニル(C1-4アルキル)-から選択されるか、または
R6およびR7は、それらが結合する窒素と一緒になって、5員、6員または7員の窒素含有環を形成し、
また、R6およびR7は、それぞれ場合により、ハロ、C1-6アルキル、C1-6ハロアルキル、C1-6アルコキシ、ヒドロキシ置換C1-6アルコキシ、-CO2R8、-SO2NR8R9、-CONR8R9、-NR8C(O)R9または5員、6員もしくは7員の複素環から選択される1個または2個の基により置換され；
R8およびR9は、独立に、水素、C1-6アルキル、C3-6シクロアルキル、フェニルおよびフェニル(C1-4アルキル)-から選択され；
pは、0〜6の整数である)であり；
R2およびR3は、独立に、水素、C1-6アルキル、C1-6アルコキシ、ハロ、フェニルおよびC1-6ハロアルキルから選択され；
R4およびR5は、独立に、水素およびC1-4アルキルから選択され、ただしR4およびR5において、炭素原子の総数は4以下である]
で表される化合物またはその塩、溶媒和物もしくは生理学的に機能的な誘導体。
【請求項２】
式(Ia)：
【化２】
2004538259.tif 000002
［式中、R1は、式(I)について請求項１で定義した通りである。]
で表される化合物またはその塩、溶媒和物もしくは生理学的に機能的な誘導体。
【請求項３】
式(Ib)：
【化３】
2004538259.tif 000003
［式中、R1は、式(I)について請求項１で定義した通りである。]
で表される化合物またはその塩、溶媒和物もしくは生理学的に機能的な誘導体。
【請求項４】
3-(4-[6-((2R)-2-[3-(ホルミルアミノ)-4-ヒドロキシフェニル]-2-ヒドロキシエチルアミノ)ヘキシル]オキシブチル)ベンゼンスルホンアミド；
3-(4-[6-((2S)-2-[3-(ホルミルアミノ)-4-ヒドロキシフェニル]-2-ヒドロキシエチルアミノ)ヘキシル]オキシブチル)ベンゼンスルホンアミド；
3-(4-[6-((2R/S)-2-[3-(ホルミルアミノ)-4-ヒドロキシフェニル]-2-ヒドロキシエチルアミノ)ヘキシル]オキシブチル)ベンゼンスルホンアミド；
N-(tert-ブチル)-3-(4-[6-((2R)-2-[3-(ホルミルアミノ)-4-ヒドロキシフェニル]-2-ヒドロキシエチルアミノ)ヘキシル]オキシブチル)ベンゼンスルホンアミド；
N-(tert-ブチル)-3-(4-[6-((2S)-2-[3-(ホルミルアミノ)-4-ヒドロキシフェニル]-2-ヒドロキシエチルアミノ)ヘキシル]オキシブチル)ベンゼンスルホンアミド；および
N-(tert-ブチル)-3-(4-[6-((2R/S)-2-[3-(ホルミルアミノ)-4-ヒドロキシフェニル]-2-ヒドロキシエチルアミノ)ヘキシル]オキシブチル)ベンゼンスルホンアミド；
から選択される、式(I)または式(Ia)で表される化合物またはその塩、溶媒和物もしくは生理学的に機能的な誘導体。
【請求項５】
薬物療法で使用するための、請求項１〜４のいずれか１項に記載の式(I)、(Ia)または(Ib)で表される化合物またはその製薬上許容される塩、溶媒和物もしくは生理学的に機能的な誘導体。
【請求項６】
請求項１〜４のいずれか１項に記載の式(I)、(Ia)または(Ib)で表される化合物またはその製薬上許容される塩、溶媒和物もしくは生理学的に機能的な誘導体、および製薬上許容される担体または賦形剤、および場合により１以上の別の治療成分を含む医薬製剤。
【請求項７】
請求項１〜４のいずれか１項に記載の式(I)、(Ia)または(Ib)で表される化合物またはその製薬上許容される塩、溶媒和物もしくは生理学的に機能的な誘導体、および１以上の別の治療成分を含む組み合わせ。
【請求項８】
別の治療成分が、PDE4インヒビター、コルチコステロイドまたは抗コリン作用剤である、請求項７記載の組み合わせ。
【請求項９】
選択的β2-アドレナリン受容体アゴニストを必要とする病態の予防または治療のための薬剤の製造における請求項１〜４のいずれか１項に記載の化合物またはその製薬上許容される塩、溶媒和物もしくは生理学的に機能的な誘導体の使用。
【請求項１０】
請求項１〜４のいずれか１項に記載の式(I)、(Ia)または(Ib)で表される化合物またはその塩、溶媒和物もしくは生理学的に機能的な誘導体の製造方法であって、
(a)例えば式(II)：
【化４】
2004538259.tif 000004
[式中、
R1、R2、R3、R4、R5、mおよびnは、請求項１において式(I)で表される化合物について定義した通りであり、R8およびR9は、それぞれ独立に、水素または保護基のいずれかであり、R8またはR9の少なくとも一方は保護基である]
で表される保護化された中間体またはその塩もしくは溶媒和物の脱保護化；または
(b)式(III)：
【化５】
2004538259.tif 000005
[式中、
R1、R2、R3、R4、R5、mおよびnは、請求項１において式(I)で表される化合物について定義した通りであり、R8およびR9は、それぞれ独立に、水素または保護基のいずれかである]
で表される化合物の還元；を含み、
その後、任意の順番で以下のステップ：
(i)場合によりいずれかの保護基を除去する；
(ii)場合によりエナンチオマーの混合物からエナンチオマーを分離する；
(iii)場合により生成物を対応する塩、溶媒和物または生理的に機能的な誘導体に変換する；
を行う、上記製造方法。
【手続補正書】
【提出日】平成17年2月15日(2005.2.15)
【手続補正１】
【補正対象書類名】明細書
【補正対象項目名】特許請求の範囲
【補正方法】変更
【補正の内容】
【特許請求の範囲】
【請求項１】  以下の連続工程（１）〜（３）：
（１）ジエン／無水マレイン酸混合物を反応させてアルキル置換または非置換のシクロヘキセンジカルボン酸無水物を凝縮相で形成する工程、
（２）アルキル置換または非置換のシクロヘキセンジカルボン酸無水物からエステルを形成する工程、
（３）工程（２）のアルキル置換または非置換のシクロヘキセン誘導体を水素化して相当するシクロヘキサンの誘導体を形成する工程、または
（１）ジエン／無水マレイン酸混合物を反応させてアルキル置換または非置換のシクロヘキセンジカルボン酸無水物を凝縮相で形成する工程、
（３）アルキル置換または非置換のシクロヘキセンジカルボン酸無水物を水素化してシクロヘキサンジカルボン酸無水物を形成する工程、
（２）アルキル置換または非置換のシクロヘキサンジカルボン酸無水物からエステルを形成する工程
からなるアルキル置換または非置換のシクロヘキサンジカルボン酸、そのモノエステルまたはジエステルまたは無水物を製造する方法。
【請求項２】  以下の連続工程（１）〜（３）：
（１）ブタジエン／無水マレイン酸混合物を反応させてシクロヘキセンジカルボン酸無水物を凝縮相で形成する工程、
（２）シクロヘキセンジカルボン酸無水物からエステルを形成する工程、
（３）工程（２）のシクロヘキセン誘導体を水素化して相当するシクロヘキサンの誘導体を形成する工程、または
（１）ブタジエン／無水マレイン酸混合物を反応させてシクロヘキセンジカルボン酸無水物を凝縮相で形成する工程、
（３）シクロヘキセンジカルボン酸無水物を水素化してシクロヘキサンジカルボン酸無水物を形成する工程、
（２）シクロヘキサンジカルボン酸無水物からエステルを形成する工程
からなる請求項１記載のシクロヘキサンジカルボン酸、そのモノエステルまたはジエステルまたは無水物を製造する方法。
【請求項３】  ｎ−ブテンまたはブタジエンまたはこれらの混合物を有する流れの酸化を有する方法によりまたはｎ−ブテンからブタジエンを生じる酸化を有する方法によりまたはｎ−ブテンからブタジエン／無水マレイン酸混合物を生じる酸化を有する方法により工程（１）による反応のためのブタジエン／無水マレイン酸混合物が得られる、請求項１または２記載のシクロヘキサンジカルボン酸、そのモノエステルまたはジエステルまたは無水物を製造する方法。
【請求項４】  工程（１）による反応のためのブタジエン／無水マレイン酸混合物を製造するためのｎ−ブテンが、ｎ−ブタンを有する流れの酸化を有する方法により得られる請求項３記載のシクロヘキサンジカルボン酸、そのモノエステルまたはジエステルまたは無水物を製造する方法。
【請求項５】  以下の連続工程（１）〜（３）：
（１）無水マレイン酸および少なくとも１個のＣ５ジエンの混合物を反応させてアルキル置換シクロヘキセンジカルボン酸無水物を凝縮相で形成する工程、
（２）アルキル置換シクロヘキセンジカルボン酸無水物からエステルを形成する工程、
（３）工程（２）のアルキル置換シクロヘキセン誘導体を水素化して相当するシクロヘキサンの誘導体を形成する工程、または
（１）無水マレイン酸および少なくとも１個のＣ５ジエンの混合物を反応させてアルキル置換シクロヘキセンジカルボン酸無水物を凝縮相で形成する工程、
（３）アルキル置換シクロヘキセンジカルボン酸無水物を水素化してシクロヘキサンジカルボン酸無水物を形成する工程、
（２）アルキル置換シクロヘキサンジカルボン酸無水物からエステルを形成する工程
からなる請求項１記載のアルキル置換シクロヘキサンジカルボン酸、そのモノエステルまたはジエステルまたは無水物を製造する方法。
【請求項６】  Ｃ５ジエンとして接触分解法からのＣ５留分を使用する請求項５記載の方法。
【手続補正書】
【提出日】平成16年11月26日(2004.11.26)
【手続補正１】
【補正対象書類名】明細書
【補正対象項目名】特許請求の範囲
【補正方法】変更
【補正の内容】
【特許請求の範囲】
【請求項１】
増殖性疾患の治療用薬剤組成物であって、二環状の抗鬱薬およびこれの誘導体、フェニルプロピルアミン誘導体およびジベンゾジアゼピン誘導体から選択される有効成分を含有するが、但し前記有効成分が一環状の抗鬱薬の時には前記増殖性疾患が前立腺癌ではないことを条件とする薬剤組成物。
【請求項２】
癌の治療用薬剤組成物であって、  三環状の神経弛緩および抗精神病薬、二環状の抗鬱薬および一環状の抗鬱薬から選択される有効成分を含有するが、但し前記三環状の神経弛緩および抗精神病薬がフェノチアジンでもチオキサンテンでもなくかつ前記有効成分が一環状の抗鬱薬の時には前記癌が前立腺癌ではないことを条件とする薬剤組成物。
【請求項３】  ある被験体の病気になった皮膚領域に塗布することで増殖性皮膚障害を治療するための局所的薬剤組成物であって、精神作用薬を有効成分として含有する薬剤組成物。
【請求項４】  増殖性皮膚障害の治療用局所的薬剤組成物であって、二環状の抗鬱薬およびこれの誘導体、フェニルプロピルアミン誘導体およびジベンゾジアゼピン誘導体から選択される有効成分を含有する薬剤組成物。
【請求項５】  増殖性細胞を細胞毒性薬に感受性にさせるための薬剤組成物であって、少なくとも１種の精神作用薬を有効成分として含有し、かつ前記精神作用薬がそれを必要としている被験体に細胞毒性薬と一緒に投与するに適した形態である薬剤組成物。
【請求項６】  多種薬剤耐性（ＭＤＲ）癌細胞を細胞毒性薬に感受性にさせるための薬剤組成物であって、少なくとも１種の精神作用薬を有効成分として含有し、かつ前記精神作用薬がそれを必要としている被験体に細胞毒性薬と一緒に投与するに適した形態である薬組成物。
【手続補正書】
【提出日】平成16年12月28日(2004.12.28)
【手続補正１】
【補正対象書類名】明細書
【補正対象項目名】００６８
【補正方法】変更
【補正の内容】
【００６８】
融点：108〜109℃
Ｃ19Ｈ21ClＦＮ5Ｏ2（405.86）に関する元素分析：
理論値：Ｃ 56.23％, Ｈ 5.22％, Ｎ 17.26％, Cl 8.74％
測定値：Ｃ 55.80％, Ｈ 5.17％, Ｎ 16.99％, Cl 8.52％
ＩＲ（KBr）：3290, 1630, 1607, 1554
1H-NMR（CDCl3, i400）：7.76(m, 1H), 7.50(s, 1H), 7.24(dd, J1=1.7Hz, J2=8.5Hz, 1H), 7.70(〜dt, Jd=1.8Hz, Jt=8.8Hz, 1H), 6.47(b, 1H), 3.91(m, 2H), 3.73(s, 3H), 3.08(m, 3H), 2.72(m, 2H), 2.31(m, 2H), 2.03(m, 4H)
13C-NMR（CDCl3, i400）：164.07(d, J=251.0Hz), 163.81, 160.83, 156.37, 139.79, 139.07, 122.81, 117.15, 112.37(d, J=25.6Hz), 97.38(d, J=26.7Hz), 57.44, 53.06, 40.53, 39.93, 34.34, 30.31